【事件の表示】
　特許第２９８１２９３号「テレビジョン受像機」の請求項１に係る特許に対する特許異議の申立てについて、次のとおり決定する。
【結　論】
　訂正を認める。
　特許第２９８１２９３号の請求項１に係る特許を維持する。
【理　由】
１．手続の経緯
　特許第２９８１２９３号の請求項１に係る発明は、平成３年１月２３日に特許出願され、平成１１年９月１７日にその特許権の設定登録がなされ、その後百本宏之より特許異議の申立てがなされ、取消しの理由が通知され、その指定期間内である平成１２年１２月１９日に訂正請求がなされたものである。
２．訂正の適否についての判断
（１）訂正の内容
ア．訂正事項ａ
　特許請求の範囲の請求項１の記載について、
「受信回路で受信するチャンネルの予約設定を行うことが可能な予約受信機能を有するテレビジョン受像機において、
　外部録画機器を録画動作状態及び停止状態に設定するコントロール信号を入力する入力手段と、
　前記入力手段より入力されたコントロール信号を記憶する記憶手段と、
　予約チャンネルの受信を開始する予約開始時間の到来時に、前記記憶手段から前記外部録画機器を録画動作状態に設定するコントロール信号を読み出して、前記外部録画機器に送出するとともに、予約チャンネルの受信を終了する予約終了時間の到来時に、前記記憶手段から前記外部録画機器を停止状態に設定するコントロール信号を読み出して、前記外部録画機器に送出する送出手段とを備えたことを特徴とするテレビジョン受像機。」
とあるのを、
「受信回路で受信するチャンネルの予約設定を行うことが可能な予約受信機能を有し、前記受信回路での受信信号を出力する出力手段を備えたテレビジョン受像機において、
　外部録画機器を録画動作状態及び停止状態に設定するコントロール信号を入力する入力手段と、
　前記入力手段より入力されたコントロール信号を記憶する記憶手段と、
　予約チャンネルの受信を開始する予約開始時間の到来時に、前記記憶手段から前記外部録画機器を録画動作状態に設定するコントロール信号を読み出して、前記外部録画機器に送出するとともに、予約チャンネルの受信を終了する予約終了時間の到来時に、前記記憶手段から前記外部録画機器を停止状態に設定するコントロール信号を読み出して、前記外部録画機器に送出する送出手段とを備え、
　前記出力手段を通じて出力される前記受信回路での受信信号を、前記録画動作状態にある外部録画機器に供給して録画させることを特徴とするテレビジョン受像機。」
と訂正する。
イ．訂正事項ｂ
明細書の段落【００５０】の記載について上記訂正事項ａと同様に訂正する。
（２）訂正の目的の適否、新規事項の有無及び拡張・変更の存否
　上記訂正事項ａは、特許請求の範囲の減縮を目的とし、上記訂正事項ｂは、上記訂正事項ａと整合を図るものであるから、明りょうでない記載の釈明を目的とした明細書の訂正に該当し、いずれも、新規事項の追加に該当せず、実質的に特許請求の範囲を拡張又は変更するものではない。
（３）むすび
　したがって、上記訂正は、特許法１２０条の４第２項及び同条第３項で準用する第１２６条第２項及び第３項の規定に適合するので、当該訂正を認める。
３．特許異議の申立てについての判断
（１）申立ての理由の概要
　申立人百本宏之は、請求項１に係る発明は、甲第１号証（特開平２−２５０４８５号公報）をもとに当業者が容易に発明をすることができたものであり、特許法第２９条第２項の規定により、特許を受けることができないものであるから、特許を取り消すべきと主張している。
（２）本件の請求項１に係る発明
　上記２．で示したように上記訂正が認められるから、本件の請求項１に係る発明（以下「本件発明」という。）は、上記訂正請求に係る訂正明細書の特許請求の範囲の請求項１に記載された事項により特定されるとおりのものである。
（３）刊行物
　特許異議申立人が証拠として提示し、当審の取消理由で引用した刊行物：特開平２−２５０４８５号公報（甲第１号証）には、本件発明との関連において、
「 外部録画機器を録画動作状態及び停止状態に設定するコントロール信号を入力する入力手段と、
　前記入力手段より入力されたコントロール信号を記憶する記憶手段と、
　予約チャンネルの受信を開始する予約開始時間の到来時に、前記記憶手段から前記外部録画機器を録画動作状態に設定するコントロール信号を読み出して、前記外部録画機器に送出するとともに、予約チャンネルの受信を終了する予約終了時間の到来時に、前記記憶手段から前記外部録画機器を停止状態に設定するコントロール信号を読み出して、前記外部録画機器に送出する送出手段とを備えたＣＡＴＶ端末装置」が記載されている。
（４）対比・判断
　本件発明と上記刊行物に記載の発明とを対比すると、上記刊行物に記載の発明は、本件発明を特定する事項である、「受信回路での受信信号を出力する出力手段を備える点」及び「出力手段を通じて出力される受信回路での受信信号を、録画動作状態にある外部録画機器に供給して録画させる点」を備えておらず、当該事項により本件発明は、例えば地上放送信号しか受信することができない外部録画機器、或いはチューナーを持たない外部録画機器等を用いた場合であっても、所望のＢＳ放送信号を予約録画することが可能である、という顕著な効果を奏するものであり、本件発明が上記刊行物に記載の発明から当業者が容易に発明をすることができたものとはいえない。
（５）以上のとおりであるから、特許異議申立ての理由及び証拠によっては、本件請求項１に係る特許を取り消すことができない。
　また、他に本件請求項１に係る特許を取り消すべき理由を発見しない。
　よって、結論のとおり決定する。
【異議決定日】
平成１３年５月１４日（２００１．５．１４）
【訂正の要旨】
訂正の要旨
ａ．特許請求の範囲の請求項１を、特許請求の範囲の減縮を目的として、「受信回路で受信するチャンネルの予約設定を行うことが可能な予約受信機能を有
し、前記受信回路での受信信号を出力する出力手段を備えた
　外部録画機器を録画動作状態及び停止状態に設定するコントロール信号を入力する入力手段と、
　前記入力手段より入力されたコントロール信号を記憶する記憶手段と、
　予約チャンネルの受信を開始する予約開始時間の到来時に、前記記憶手段から前記外部録画機器を録画動作状態に設定するコントロール信号を読み出して、前記外部録画機器に送出するとともに、予約チャンネルの受信を終了する予約終了時間の到来時に、前記記憶手段から前記外部録画機器を停止状態に設定するコントロール信号を読み出して、前記外部録画機器に送出する送出手段とを備え
、
　
前記出力手段を通じて出力される前記受信回路での受信信号を、前記録画動作状態にある外部録画機器に供給して録画させる
に訂正。
ｂ．これに伴い、特許請求の範囲の記載と発明の詳細な説明との整合を図るため、明瞭でない記載の釈明を目的として、明細書の【課題を解決するための手段】の欄を、
「上記目的を達成するため、本発明では、受信回路（例えば、ＢＳ受信回路）で受信するチャンネルの予約設定を行うことが可能な予約受信機能を有
し、前記受信回路での受信信号を出力する出力手段を備えた
、前記出力手段を通じて出力される前記受信回路での受信信号を、前記録画動作状態にある外部録画機器に供給して録画させる
に訂正。
（５４）【発明の名称】
テレビジョン受像機
（５７）【特許請求の範囲】
　【請求項１】　受信回路で受信するチャンネルの予約設定を行うことが可能な予約受信機能を有
し、前記受信回路での受信信号を出力する出力手段を備えた
　外部録画機器を録画動作状態及び停止状態に設定するコントロール信号を入力する入力手段と、
　前記入力手段より入力されたコントロール信号を記憶する記憶手段と、
　予約チャンネルの受信を開始する予約開始時間の到来時に、前記記憶手段から前記外部録画機器を録画動作状態に設定するコントロール信号を読み出して、前記外部録画機器に送出するとともに、予約チャンネルの受信を終了する予約終了時間の到来時に、前記記憶手段から前記外部録画機器を停止状態に設定するコントロール信号を読み出して、前記外部録画機器に送出する送出手段とを備え
、
　
前記出力手段を通じて出力される前記受信回路での受信信号を、前記録画動作状態にある外部録画機器に供給して録画させる
【発明の詳細な説明】
　【００１０】
　【産業上の利用分野】
　本発明は、受信回路（チューナ）で受信するチャンネルの予約が行える予約受信機能を有するテレビジョン受像機に関するものである。
　【００２０】
　【従来の技術】
　従来、通常の受信回路とは別に衛星放送用の受信回路（以下、「ＢＳ受信回路」という）を内蔵したテレビジョン受像機は、そのＢＳ受信回路で受信するチャンネルの予約設定が行える予約受信機能を有している。例えば、このようなテレビジョン受像機は図２に示すように構成されており、（１）は通常のテレビジョン放送受信用の受信アンテナ、（２）は受信アンテナ（１）からの受信信号から希望する受信チャンネルを選局し音声と映像信号を復調する通常の受信回路で、該受信回路（２）は希望する受信チャンネルを選局して中間周波信号に周波数変換する選局部（３）と、この選局部（３）からの中間周波信号を音声と映像中間周波信号とに分離して夫々検波し音声と映像信号を取り出す検波部（４）とから成っている。（５）は衛星放送受信用のＢＳ受信アンテナ、（６）はＢＳ受信アンテナ（５）からの受信信号から希望する受信チャンネルを選局し音声と映像信号を復調するＢＳ受信回路、（７）は通常の受信回路（２）からの音声信号かＢＳ受信回路（６）からの音声信号かを選択する音声切換回路、（８）は音声切換回路（７）からの音声信号を増幅して後段のスピーカ（９）に供給する音声増幅回路、（１０）は通常の受信回路（２）からの映像信号かＢＳ受信回路（６）からの映像信号かを選択する映像切換回路、（１１）は映像切換回路（１０）からの映像信号より分離した輝度、搬送色信号に画質調整、輝度調整、色復調等の信号処理を施して三原色信号を取り出し後段の受像管（１２）に供給する映像処理回路、（１３）は映像切換回路（１０）からの映像信号より分離した同期信号に基づいて水平・垂直偏向電流を作り出し受像管（１２）の水平・垂直偏向コイルに供給する偏向回路、（１４）は通常の受信回路（２）とＢＳ受信回路（６）での受信チャンネルの選局動作を制御する選局マイクロコンピュータ（以下、「選局マイコン」という）で、該選局マイコン（１４）はＢＳ受信回路（６）で受信するチャンネルの予約設定が行える予約受信機能を有している。そして、（１５）はＡＣ電源プラグ（１６）からの商用交流電源を整流平滑して直流化し受像機の選局マイコン（１４）等の各回路に電源供給を行なう電源回路、（１７）はＡＣ電源プラグ（１６）からの商用交流電源を整流平滑して直流化しＢＳ受信回路（６）に電源供給を行なうＢＳ電源回路である。
　【００３０】
　そして、このようなテレビジョン受像機ではその予約チャンネルの受信信号を外部録画機器としてのビデオテープレコーダ（１８）に供給して自動的に録画できるようにするために、ＢＳ受信回路（６）からの音声と映像信号を予約録画機能付きのビデオテープレコーダ（１８）に出力する音声、映像出力端子（１９）（２０）と共に、このビデオテープレコーダ（１８）のＡＣ電源プラグ（２１）が差し込まれる動作検知用のＡＣ電源コンセント（２２）と、このＡＣ電源コンセント（２２）にＡＣ電源プラグ（２１）が差し込まれたビデオテープレコーダ（１８）の動作時の負荷電流を検知して選局マイコン（１４）にＨレベルの動作検知信号を出力する検知回路（２３）とを設けている。具体的に、検出回路（２３）はＡＣ電源コンセント（２２）への電源供給線路に一次側コイルが設けられた電流検出トランス（２４）と、この電流検出トランス（２４）の二次側コイルに誘起する電圧を整流平滑する整流回路（２５）と、この整流回路（２５）からの出力電圧がインピーダンス変換用のトランジスタ（２６）を介して非反転端子に供給されると共に電源電圧ＶＤＤが基準電圧として反転端子に供給されるコンパレータ（２７）とから成っている。従って、このようなテレビジョン受像機においては、先ず選局マイコン（１４）にてＢＳ受信回路（６）で受信するチャンネルの予約設定を行い、そのＡＣ電源コンセント（２２）にビデオテープレコーダ（１８）のＡＣ電源プラグ（２１）を差し込んだ後そのビデオテープレコーダ（１８）を予約設定時間で録画動作状態となる予約録画状態に設定しておくことで、その予約設定時間になってビデオテープレコーダ（１８）が録画動作状態になると、その負荷電流にて電流検出トランス（２４）の二次側コイルに誘起する電圧が増大し、整流回路（２５）の出力電圧が増大して基準電圧よりも大きくなることで、コンパレータ（２７）の出力がＬレベルからＨレベルに反転し、動作検知信号として選局マイコン（１４）に送出される。そして、このコンパレータ（２７）からのＨレベル出力を受けた選局マイコン（１４）はＢＳ受信回路（６）を制御して予約設定したチャンネルの受信を行なわせ、そのＢＳ受信回路（６）からの音声と映像信号を音声、映像出力端子（１９）（２０）を通じてビデオテープレコーダ（１８）に出力させる。その結果、ＢＳ受信回路（６）での予約チャンネルの受信信号が録画動作状態にあるビデオテープレコーダ（１８）に供給されて録画、即ち衛星放送の予約受信録画が行なわれることになる。
　【００４０】
　【発明が解決しようとする課題】
　ところが、このような従来構成のテレビジョン受像機では、予約録画機能を有するビデオテープレコーダの動作時の負荷電流を検知してＢＳ受信回路での予約チャンネルの受信を開始させるようにしているため、その負荷電流がビデオテープレコーダの録画動作による負荷電流か或いは別の動作（再生動作等）による負荷電流か区別することができず、例えばＢＳ受信回路で受信するチャンネルの予約設定を行なった後、その予約設定時間になるまでの間にビデオテープレコーダを再生動作等の別の動作状態に設定して使用すると、その度毎に負荷電流の検知が行なわれてＢＳ受信回路が予約チャンネルの受信を開始すると云った誤動作を生じ、ＢＳ受信回路で受信するチャンネルの予約設定スケジュールが狂ってしまうと云った問題を生じていた。本発明はこのような点に鑑み成されたものであって、ＢＳ受信回路で受信するチャンネルの予約設定後にビデオテープレコーダを別の動作状態に設定して使用しても、誤動作を起こさずに確実に予約設定スケジュールを実行してその受信信号をビデオテープレコーダに録画させるようにしたテレビジョン受像機を提供することを目的とする。
　【００５０】
　【課題を解決するための手段】
　上記目的を達成するため、本発明では、受信回路（例えば、ＢＳ受信回路）で受信するチャンネルの予約設定を行うことが可能な予約受信機能を有
し、前記受信回路での受信信号を出力する出力手段を備えた
、前記出力手段を通じて出力される前記受信回路での受信信号を、前記録画動作状態にある外部録画機器に供給して録画させる
　【００６０】
　【作用】このような構成によると、ＢＳ受信回路で受信するチャンネルの予約設定を行なった後、その予約設定時間になるとメモリからビデオテープレコーダを録画動作状態に設定するリモコン信号が読み出されて光送信ユニットより光の形態で送信される。そして、光送信ユニットからのリモコン信号はビデオテープレコーダの光受信ユニットで受信されてビデオテープレコーダが録画動作状態に設定され、ＢＳ受信回路から供給される予約チャンネルの受信信号が録画されることになる。
　【００７０】
　【実施例】
　以下、本発明の一実施例について図面と共に説明する。尚、従来と同一部分については同一符号を付すと共にその説明を省略する。本実施例では、ＢＳ受信回路で受信するチャンネルの予約が行える予約受信機能を有するテレビジョン受像機において、予約チャンネルの受信開始時にその受信信号が供給されるビデオテープレコーダを録画動作状態に設定する設定手段を設けて、ＢＳ受信回路から供給される予約チャンネルの受信信号をビデオテープレコーダで自動的に録画できるようにしたものである。具体的には、図１に示すようにその受像機側にはビデオテープレコーダ（１８）を録画動作及び停止状態に設定するリモコン信号が記憶されるメモリ（２８）と、このメモリ（２８）より読み出したりモコン信号が供給されてそのリモコン信号に応じた発光ダイオード駆動信号を制御出力端子（２９）に出力する駆動回路（３０）と、この制御出力端子（２９）に接続されその発光部（３１Ａ）内の赤外線発光ダイオードが駆動回路（３０）からの発光ダイオード駆動信号にて発光駆動されることでメモリ（２８）から読み出したリモコン信号を光の形態で送信する光送信ユニット（３１）とを設けて、予約受信機能を有する選局マイコン（１４）がその予約設定時間になるとメモリ（２８）よりリモコン信号を読み出して駆動回路（３０）に出力した後ＢＳ受信回路（６）で予約チャンネルの受信を行なわせるようにすると共に、ビデオテープレコーダ（１８）側には光送信ユニット（３１）から送信されるリモコン信号を受信する光受信ユニット（３２）を設けたものである。尚、録画動作及び停止状態に設定するリモコン信号のメモリ（２８）への記憶は、記憶スイッチ（３３）を閉成して選局マイコン（１４）を記憶モードに設定した状態で、ビデオテープレコード（１８）のリモコン送信機から光の形態で送信されるリモコン信号を光受信部（この場合、フォトトランジスタ）（３４）にて受信させると、選局マイコン（１４）が受信したリモコン信号をメモリ（２８）の所定のアドレスに書き込むことで行なわれることになる。
　【００８０】
　従って、このようなテレビジョン受像機においてその選局マイコン（１４）にてＢＳ受信回路（６）で受信するチャンネルの予約設定を行なうと、その予約設定時間で選局マイコン（１４）がメモリ（２８）からビデオテープレコーダ（１８）を録画動作状態に設定するリモコン信号を読み出して駆動回路（３０）に供給する。そして、このリモコン信号を受けた駆動回路（３０）が発光ダイオード駆動信号を出力して光送信ユニット（３１）の赤外線発光ダイオードを駆動し、光送信ユニット（３１）よりリモコン信号を送信させて、ビデオテープレコーダ（１８）を録画動作状態に設定する。また、選局マイコン（１４）は駆動回路（３０）にリモコン信号を出力した後、ＢＳ受信回路（６）を制御して予約設定したチャンネルの受信を行なわせ、そのＢＳ受信回路（６）からの音声と映像信号を音声、映像出力端子（１９）（２０）を通じてビデオテープレコーダ（１８）に出力させる。その結果、ＢＳ受信回路（６）での予約チャンネルの受信信号が録画動作状態にあるビデオテープレコーダ（１８）に供給されて録画されることになる。そして、ＢＳ受信回路（６）での予約チャンネルの受信終了時間になると、選局マイコン（１４）がメモリ（２８）からビデオテープレコーダ（１８）を停止状態に設定するリモコン信号を読み出して駆動回路（３０）に供給する。そして、このリモコン信号を受けた駆動回路（３０）が光送信ユニット（３１）の赤外線発光ダイオードを駆動し、光送信ユニット（３１）よりリモコン信号を送信させて、ビデオテープレコーダ（１８）を停止状態に設定する。同様に、次の予約チャンネルの受信と録画もその予約設定時間が到来すると自動的に行なわれることになる。尚、本実施例では光送信ユニットが受像機に外付けされるようになっているが、内蔵するようにしても良く、また逆に光送信ユニットと共にメモリも外付けするようにしても良い。
　【００９０】
　【発明の効果】
　本発明によれば、受信チャンネルの予約設定が可能なテレビジョン受像機内に設けた記憶手段に、外部録画機器を録画動作状態及び停止状態に設定するコントロール信号を予め記憶させておき、その予約設定時間や予約終了時間の到来時に、そのコントロール信号を読み出して外部録画機器に送出し、録画動作状態に設定したり、停止状態に設定するようにしているため、受信チャンネルの予約設定後に、外部録画機器を別の動作状態に設定して使用しても、予約設定スケジュール通りの受信を確実に実行して、その受信信号を外部録画機器にて自動的に録画させることができる。しかも、外部録画機器に固有のコントロール信号を外部より入力して、記憶手段に記憶させることができるので、外部録画機器がどんなメーカのものであっても、また、どんな機種であっても、外部録画機器の動作制御を行うことが可能である。
【図面の簡単な説明】
　【図１】　本発明の一実施例を示す回路図。
　【図２】　従来例を示す回路図。
　【符号の説明】
６　ＢＳ受信回路
１４　選局マイコン
１８　ビデオテープレコーダ
２８　メモリ
３１　光送信ユニット
３２　光受信ユニット